(57)【要約】【課題】  イオン結合型の錯化着色剤，その製造方法及びその使用方法を提供する。【解決手段】（ａ）明確なカラー特性を有するイオン性染料成分と，（ｂ）上記イオン性染料成分と１０ΔＥ＊ユニット以上のカラー差を示す公知のカラー特性を有する第１染料対イオン成分と，（ｃ）無色の対イオン成分とを含み，上記イオン性染料成分は上記第１染料対イオン成分及び上記無色の対イオン成分と所定の比率でイオン結合型錯化されて所定のカラーを示すイオン結合型の錯化着色剤化合物を形成することを特徴とするイオン結合型の錯化着色剤化合物を提供する。【選択図】    なし【特許請求の範囲】
【請求項１】
（ａ）明確なカラー特性を有するイオン性染料成分と；
（ｂ）前記イオン性染料成分と１０ΔＥ＊ユニット以上のカラー差を示す公知のカラー特性を有する第１染料対イオン成分と；
（ｃ）無色の対イオン成分と；
を含み，前記イオン性染料成分は前記第１染料対イオン成分及び前記無色の対イオン成分と所定の比率でイオン結合型錯化されて所定のカラーを示すイオン結合型の錯化着色剤化合物を形成することを特徴とするイオン結合型の錯化着色剤化合物。
【請求項２】
前記無色の対イオン成分が前記着色剤化合物総量の４０重量％未満であることを特徴とする請求項１に記載のイオン結合型の錯化着色剤化合物。
【請求項３】
前記無色の対イオン成分が前記着色剤化合物総量の２０重量％未満であることを特徴とする請求項１に記載のイオン結合型の錯化着色剤化合物。
【請求項４】
前記無色の対イオン成分が前記着色剤化合物総量の１０重量％未満であることを特徴とする請求項１に記載のイオン結合型の錯化着色剤化合物。
【請求項５】
１００ｐｐｍ未満の水溶解度を有することを特徴とする請求項１から４のいずれかに記載のイオン結合型の錯化着色剤化合物。
【請求項６】
前記着色剤化合物と共有結合されていない金属が実質的に存在しないことを特徴とする請求項１から５のいずれかに記載のイオン結合型の錯化着色剤化合物。
【請求項７】
５０００ダルトン未満の分子量を有することを特徴とする請求項１から６のいずれかに記載のイオン結合型の錯化着色剤化合物。
【請求項８】
３０００ダルトン未満の分子量を有することを特徴とする請求項１から６のいずれかに記載のイオン結合型の錯化着色剤化合物。
【請求項９】
前記着色剤化合物が３つ以上の染料成分よりなり，前記３つ以上の染料成分それぞれは他の２つの染料成分それぞれと１０ΔＥ＊ユニット以上のカラー差を示すことを特徴とする請求項１から８のいずれかに記載のイオン結合型の錯化着色剤化合物。
【請求項１０】
前記着色剤化合物が３つ以上の染料成分よりなり，前記３つ以上の染料成分それぞれは他の２つの染料成分それぞれと２０ΔＥ＊ユニット以上のカラー差を示すことを特徴とする請求項１から８のいずれかに記載のイオン結合型の錯化着色剤化合物。
【請求項１１】
前記染料成分が多数のイオン性作用基を含むことを特徴とする請求項１から１０のいずれかに記載のイオン結合型の錯化着色剤化合物。
【請求項１２】
（ａ）明確なカラー特性を有するイオン性染料成分と；
（ｂ）前記イオン性染料成分と１０ΔＥ＊ユニット以上のカラー差を示す公知のカラー特性を有する第１染料対イオン成分と；
（ｃ）無色の対イオン成分と；
を含み，前記イオン性染料成分，前記第１染料対イオン成分及び前記無色の対イオン成分は所定の比率でイオン結合型錯化され，着色剤組成物中で所定のカラーを示すイオン結合型の錯化着色剤化合物が形成されることを特徴とする，イオン結合型の錯化着色剤組成物。
【請求項１３】
前記組成物は３つ以上の染料成分よりなり，前記３つ以上の染料成分それぞれは他の２つの染料成分それぞれと１０ΔＥ＊ユニット以上のカラー差を示すことを特徴とする請求項１２に記載のイオン結合型の錯化着色剤組成物。
【請求項１４】
（ａ）明確なカラー特性を有するイオン性染料成分を同定する段階と；
（ｂ）前記イオン性染料成分と１０ΔＥ＊ユニット以上のカラー差を示す公知のカラー特性を有する第１染料対イオン成分を同定する段階と；
（ｃ）無色の対イオン成分を同定する段階と；
（ｄ）イオン結合型の錯化着色剤化合物の望ましい所定のカラーを得るために必要な前記イオン性染料成分，前記第１染料対イオン成分及び前記無色の対イオン成分の比率を決定する段階と；
（ｅ）前記（ｄ）段階で決定された比率を利用して，前記イオン性染料成分を前記第１染料対イオン成分及び前記無色の対イオン成分と前記所定の比率で錯化させて前記所定のカラーを示すイオン結合型の錯化着色剤を形成する段階と；
を含む，所定のカラーを有するイオン結合型の錯化着色剤の製造方法。
【請求項１５】
公知のカラー特性を有する第２染料対イオン成分を同定する段階をさらに含み，
前記決定段階（ｄ）は，前記イオン結合型の錯化着色剤化合物の望ましい所定のカラーを得るために必要な前記イオン性染料成分，前記第１染料対イオン成分，前記無色の対イオン成分及び前記第２染料対イオン成分の比率を決定する段階をさらに含み，
前記錯化段階（ｅ）は，前記イオン性染料成分を前記第１染料対イオン成分，前記無色の対イオン成分及び前記第２染料対イオン成分と錯化させて前記所定のカラーを示すイオン結合型の錯化着色剤を形成する段階をさらに含むことを特徴とする，請求項１４に記載のイオン結合型の錯化着色剤の製造方法。
【請求項１６】
（ａ）明確なカラー特性を有するイオン性染料成分を同定する段階と；
（ｂ）前記イオン性染料成分と１０ΔＥ＊ユニット以上のカラー差を示す公知のカラー特性を有する第１染料対イオン成分を同定する段階と；
（ｃ）無色の対イオン成分を同定する段階と；
（ｄ）イオン結合型の錯化着色剤組成物の望ましい所定のカラーを得るために必要な前記イオン性染料成分，前記第１染料対イオン成分及び前記無色の対イオン成分の比率を決定する段階と；
（ｅ）前記（ｄ）段階で決定された比率を利用して，前記イオン性染料成分を前記第１対イオン成分及び前記無色の対イオン成分と前記所定の比率で錯化させて着色剤組成物中で前記所定のカラーを示すイオン結合型の錯化着色剤化合物を形成する段階と；
を含む，所定のカラーを有するイオン結合型の錯化着色剤組成物の製造方法。
【請求項１７】
公知のカラー特性を有する第２染料対イオン成分を同定する段階をさらに含み，
前記決定段階（ｄ）は，前記イオン結合型の錯化着色剤組成物の望ましい所定のカラーを得るために必要な前記イオン性染料成分，前記第１染料対イオン成分，前記無色の対イオン成分及び前記第２染料対イオン成分の比率を決定する段階をさらに含み，
前記錯化段階（ｅ）は，前記イオン性染料成分，前記第１染料対イオン成分，前記無色の対イオン成分及び前記第２染料対イオン成分を所定の比率で錯化させて着色剤組成物中で前記所定のカラーを示すイオン結合型の錯化着色剤化合物を形成する段階をさらに含むことを特徴とする，請求項１６に記載のイオン結合型の錯化着色剤組成物の製造方法。
【請求項１８】
請求項１から１１のいずれかに記載のイオン結合型の錯化着色剤化合物を含むことを特徴とするコーティング可能な着色剤組成物。
【請求項１９】
ラテックスペイントであることを特徴とする，請求項１８に記載のコーティング可能な着色剤組成物。
【請求項２０】
請求項１から１１のいずれかに記載のイオン結合型の錯化着色剤化合物を含むことを特徴とするトナー組成物。
【請求項２１】
両親媒性重合体を含むことを特徴とする，請求項２０に記載のトナー組成物。
【請求項２２】
請求項１から１１のいずれかに記載のイオン結合型の錯化着色剤化合物を含むことを特徴とするインク組成物。
【請求項２３】
請求項１から１１のいずれかに記載のイオン結合型の錯化着色剤化合物を含むことを特徴とするカラー既濃縮組成物。
【発明の詳細な説明】
【技術分野】
【０００１】
本発明は着色剤に係り，特に，イオン結合型の錯化着色剤化合物，イオン結合型の錯化着色剤組成物，イオン結合型の錯化着色剤の製造方法，イオン結合型の錯化着色剤組成物の製造方法，及び着色剤組成物，トナー組成物，インク組成物，カラー既濃縮組成物およびその使用方法に関する。
【背景技術】
【０００２】
人類は昔から思想を表現する方法及び周辺環境を変形及び装飾する方法として着色剤を利用してきた。例えば，着色剤組成物は，洞窟の壁面からパピルスシート，そして現代の紙及びキャンバスに至る多様な物の表面上にイメージを形象化するのに使われた。また，着色剤組成物は道具，おもちゃ，織物及びプラスチックシートのような物品と壁面，底及び天井のような構造物の表面にカラーを提供するのに利用されてきた。このために，着色剤はインク組成物，ペイント組成物及びプラスチックなどで製造された物品に含まれる既濃縮組成物に含まれてきた。
【０００３】
数年間にわたって多様な着色剤が開発されたが，着色剤はその特徴によって一般的に染料，顔料及びレーキに分類される。ウェブスター辞書によれば，染料は，“例えば，織物または毛髪を染色するか，着色するのに使われ，一般的には可溶性である物質”と定義される。また，顔料は“ドライ着色剤（特に，ペイントなどを製造する液体に混合される不溶性粉末）”とウェブスター辞書に定義されている。レーキは，“通常的に沈殿法によっていくつかの着色剤を金属オキシドまたは土金属，特に水化アルミニウムと組み合わせて形成された顔料であって，マダ−レーキと，フロレンティーンレーキと，イエローレーキなど”と定義されている。レーキ顔料は一般的に可溶性有機染料を不溶性の無機吸着基質上に沈殿させて製造される。明礬のような適した物質が，染料を含む水溶液及び炭酸ナトリウムまたは炭酸カリウムのような１つ以上の他の化学物質に添加される時に起こる化学反応によって顔料が形成される。
【０００４】
永久顔料は多様な分野でカラーを維持するように当業界で研究されている。例えば，特許文献１には，特定陽イオン性染料を特定アミンカラー増進剤の存在下で，複合ヘテロ多重酸を利用して水溶液で沈殿させて永久顔料を製造することが開示されている。顔料は高品質リソグラフィインクの製造時に有用であると記載されている。
【０００５】
特定用途において，着色剤は，静電気的画像形成の印刷及び複写工程に使われるトナーに含まれうる。例えば，特許文献２には，樹脂，帯電増進添加剤，イオンバインド重合体，及びイオンバインド重合体と結合された１つ以上のイオン性染料を含むトナー組成物が開示されている。イオン性染料は帯電増進添加剤とは相異なる成分であり，トナー組成物に安定化され分散されている。
【０００６】
特許文献３には，１つ以上の４級アンモニウム基，または陽性子化された若しくは陽性子化可能な３次アミノ基を含む陽イオン性染料，及び選択的に（予備）還元された硫黄染料のラジカルである１つ以上の発色ラジカルが開示されており，その前駆物質は塩基性２次アミノ基である陽イオングループを含む。このような染料は陰イオン性析出剤と結合して水不溶性染料を形成できると記載されている。特許文献３のカラム１５，３７〜５０行によれば，析出剤の例としては，他の例の中にも陰イオン性染料が含まれる。
【０００７】
特許文献４には，カラー電子写真の画像形成分野に利用されるトナー粒子を開示している。粒子は，着色剤と反応して着色されたポリエステル粒子を形成できる作用基を含む実質的に非晶質であるポリエステルを成分として含み，以後，追加処理されてトナー組成物に統合される。
【０００８】
【特許文献１】米国特許第４,５７６,６４９号明細書
【特許文献２】米国特許第５,４３４,０３０号明細書
【特許文献３】米国特許第５,７６６,２６９号明細書
【特許文献４】米国特許第６,００１,５２４号明細書
【発明の開示】
【発明が解決しようとする課題】
【０００９】
本発明が解決しようとする技術的課題は，高品質色相を表す着色剤化合物，その製造方法及びトナー組成物などのようなその使用方法を提供することである。
【課題を解決するための手段】
【００１０】
上記課題を解決するために，本発明のある観点によれば，（ａ）明確なカラー特性を有するイオン性染料成分と，（ｂ）イオン性染料成分と約１０ΔＥ＊ユニット以上のカラー差を示す公知のカラー特性を有する第１染料対イオン成分と，（ｃ）無色の対イオン成分と，を含み，イオン性染料成分は第１染料対イオン成分及び無色の対イオン成分と所定の比率でイオン結合型錯化されて所定のカラーを示すイオン結合型の錯化着色剤化合物を形成することを特徴とするイオン結合型の錯化着色剤化合物を提供する。
【００１１】
上記無色の対イオン成分が着色剤化合物総量の約４０重量％未満であってもよい。
【００１２】
上記無色の対イオン成分が着色剤化合物総量の約２０重量％未満であってもよい。
【００１３】
上記無色の対イオン成分が着色剤化合物総量の約１０重量％未満であってもよい。
【００１４】
上記イオン結合型の錯化着色剤化合物は，１００ｐｐｍ未満の水溶解度を有していてもよい。
【００１５】
上記イオン結合型の錯化着色剤化合物と共有結合されていない金属が実質的に存在しなくてもよい。
【００１６】
上記イオン結合型の錯化着色剤化合物は，約５０００ダルトン未満の分子量を有していてもよい。
【００１７】
上記イオン結合型の錯化着色剤化合物は，約３０００ダルトン未満の分子量を有していてもよい。
【００１８】
上記イオン結合型の錯化着色剤化合物が３つ以上の染料成分よりなり，３つ以上の染料成分それぞれは他の２つの染料成分それぞれと約１０ΔＥ＊ユニット以上のカラー差を示していてもよい。
【００１９】
上記イオン結合型の錯化着色剤化合物が３つ以上の染料成分よりなり，３つ以上の染料成分それぞれは他の２つの染料成分それぞれと約２０ΔＥ＊ユニット以上のカラー差を示していてもよい。
【００２０】
上記染料成分が多数のイオン性作用基を含んでいてもよい。
【００２１】
上記課題を解決するために，本発明の別の観点によれば，（ａ）明確なカラー特性を有するイオン性染料成分と，（ｂ）イオン性染料成分と約１０ΔＥ＊ユニット以上のカラー差を示す公知のカラー特性を有する第１染料対イオン成分と，（ｃ）無色の対イオン成分と，を含み，イオン性染料成分，第１染料対イオン成分及び無色の対イオン成分は所定の比率でイオン結合型錯化され，着色剤組成物中で所定のカラーを示すイオン結合型の錯化着色剤化合物が形成されることを特徴とするイオン結合型の錯化着色剤組成物が提供される。
【００２２】
上記イオン結合型の錯化組成物は，３つ以上の染料成分よりなり，３つ以上の染料成分それぞれは他の２つの染料成分それぞれと約１０ΔＥ＊ユニット以上のカラー差を示していてもよい。
【００２３】
上記課題を解決するために，本発明の別の観点によれば，（ａ）明確なカラー特性を有するイオン性染料成分を同定する段階と，（ｂ）イオン性染料成分と１０ΔＥ＊ユニット以上のカラー差を示す公知のカラー特性を有する第１染料対イオン成分を同定する段階と，（ｃ）無色の対イオン成分を同定する段階と，（ｄ）イオン結合型の錯化着色剤化合物の望ましい所定のカラーを得るために必要なイオン性染料成分，第１染料対イオン成分及び無色の対イオン成分の比率を決定する段階と，（ｅ）（ｄ）段階で決定された比率を利用して，イオン性染料成分を第１染料対イオン成分及び無色の対イオン成分と所定の比率で錯化させて所定のカラーを示すイオン結合型の錯化着色剤を形成する段階と，を含む，所定のカラーを有するイオン結合型の錯化着色剤の製造方法が提供される。
【００２４】
上記イオン結合型の錯化着色剤の製造方法は，公知のカラー特性を有する第２染料対イオン成分を同定する段階をさらに含み，決定段階（ｄ）は，イオン結合型の錯化着色剤化合物の望ましい所定のカラーを得るために必要なイオン性染料成分，第１染料対イオン成分，無色の対イオン成分及び第２染料対イオン成分の比率を決定する段階をさらに含み，錯化段階（ｅ）は，イオン性染料成分を第１染料対イオン成分，無色の対イオン成分及び第２染料対イオン成分と錯化させて所定のカラーを示すイオン結合型の錯化着色剤を形成する段階をさらに含むようにしてもよい。
【００２５】
上記課題を解決するために，本発明の別の観点によれば，（ａ）明確なカラー特性を有するイオン性染料成分を同定する段階と，（ｂ）イオン性染料成分と１０ΔＥ＊ユニット以上のカラー差を示す公知のカラー特性を有する第１染料対イオン成分を同定する段階と，（ｃ）無色の対イオン成分を同定する段階と，（ｄ）イオン結合型の錯化着色剤組成物の望ましい所定のカラーを得るために必要なイオン性染料成分，第１染料対イオン成分及び無色の対イオン成分の比率を決定する段階と，（ｅ）（ｄ）段階で決定された比率を利用して，イオン性染料成分を第１対イオン成分及び無色の対イオン成分と所定の比率で錯化させて着色剤組成物中で所定のカラーを示すイオン結合型の錯化着色剤化合物を形成する段階と，を含む，所定のカラーを有するイオン結合型の錯化着色剤組成物の製造方法が提供される。
【００２６】
上記の所定のカラーを有するイオン結合型の錯化着色剤組成物の製造方法は，公知のカラー特性を有する第２染料対イオン成分を同定する段階をさらに含み，決定段階（ｄ）は，イオン結合型の錯化着色剤組成物の望ましい所定のカラーを得るために必要なイオン性染料成分，第１染料対イオン成分，無色の対イオン成分及び第２染料対イオン成分の比率を決定する段階をさらに含み，錯化段階（ｅ）は，イオン性染料成分，第１染料対イオン成分，無色の対イオン成分及び第２染料対イオン成分を所定の比率で錯化させて着色剤組成物中で所定のカラーを示すイオン結合型の錯化着色剤化合物を形成する段階をさらに含むようにしてもよい。
【００２７】
上記課題を解決するために，本発明の別の観点によれば，上記本発明にかかるイオン結合型の錯化着色剤化合物またはイオン結合型の錯化着色剤組成物を利用した，コーティング可能な着色剤組成物，インク組成物，トナー組成物または既濃縮組成物などが提供される。
【００２８】
本発明の着色剤化合物は容易に製造でき，高彩度及び鮮明度を表す長所がある。
【発明の効果】
【００２９】
以上説明したように，本発明によれば，イオン結合型の錯化着色剤化合物は容易に製造され，カラー分離現象なく優秀なカラーを示すので，インク組成物，トナー組成物または既濃縮組成物のようにブラック着色剤と関連した分野で有用に使用することができる。
【発明を実施するための最良の形態】
【００３０】
以下に本発明の好適な実施の形態について詳細に説明する。
【００３１】
明確なカラー特性を有するイオン性染料成分が，上記イオン性染料成分と約１０ΔＥ＊ユニット以上のカラー差を示す公知のカラー特性を有する第１染料対イオン成分，及び無色の対イオン成分とイオン結合型錯化されたイオン結合型の錯化着色剤化合物が提供されうることが明らかになった。本実施形態において，無色の対イオン成分は使用条件下では可視光線範囲のカラーを表さない成分である。イオン性染料成分は第１染料対イオン成分及び無色の対イオン成分と所定の比率でイオン結合型錯化されて，所定のカラーを示すイオン結合型の錯化着色剤化合物を形成する。
【００３２】
本実施形態において，組成物は高倍率で観察した場合には各カラーの不均質性が観察される場合もあるが，上記組成物は組成物を観察する通常の条件下で，観察者が組成物のカラーであると見なされるカラーを指摘する方式で上記組成物を評価して得た明確なカラーを有する。染料成分は通常の観察者に可視光線領域では明確なカラーを示すイオン（または対イオン）である。
【００３３】
このような化合物を含む組成物も提供される。また，上記組成物の製造方法及び上記組成物の使用方法も提供される。また，イオン性染料，イオン性染料成分と約１０ΔＥ＊ユニット以上のカラー差を示す公知のカラー特性を有する第１染料対イオン成分，及び無色の対イオン成分を含む組成物が提供され，上記イオン性染料成分は上記第１対イオン成分及び無色の対イオン成分と所定の比率でイオン結合型錯化して着色剤組成物で所定のカラーを示すイオン結合型錯化化合物を形成する。
【００３４】
本実施形態の化合物及び組成物は，公知されていない独特な着色剤の化学的性質を提供する。上記化学的性質によれば，錯化過程の前後に独特な溶解度を有する物質を利用して組成物を製造できる。このように生成された着色剤は，組成物から望ましくない環境へ移ることが少ない。具体的には例えば，その組成物と接触する様々な物の表面を染色してしまうことが少ない。また，本実施形態の着色剤は，水や他の特定着色剤キャリア溶媒に対してあまり溶解されないか，または実質的に不溶性になるように製造されうる。本実施形態の一態様で，本実施形態の化合物はまた選択的に金属イオンと錯化されうる。しかし，本実施形態のさらに望ましい態様で，水や他の着色剤キャリア溶媒に対する低溶解度は重金属を含有していない化合物によって選択的に達成されうる。したがって，本実施形態の望ましい態様で本実施形態は，着色剤化合物として“有機レーキ”を提供し，これは実質的に無機金属対イオンが存在していない着色剤化合物を意味する。
【００３５】
また，本実施形態は多様な分野で着色剤物質の選択範囲を広めるという点で利点を提供する。着色剤は環境，特に着色剤との直接的な接触や着色剤の摂取を通じた人体の健康に及ぶ化学的な影響を測定するために常に評価されねばならない。新規カラーの確認及び承認は極めて高コストがかかる場合があり，上記問題点によって許可申請（ｃｌｅａｒａｎｃｅ）工程が導入される必要もある。本実施形態によれば，完全に新たな許可申請工程が必要な完全に新たな分子を製造する必要なく新規カラーを製造できる。その代わりに，新規カラーは公知の染料分子を錯化させて形成されたものであって，部分的には既存の化学成分を含みながら明確に新規なカラーを形成できる。また，組成物の明確なカラーは本明細書に示されたように相対的な染料含量を調節することによって正確に所望の色調に容易に調節されうる。染料成分が錯化されるために，その結果形成されたカラーは，単純に機械的にブレンドされた染料ブレンドで発生しうる，相異なる染料間の比率変化をもたらす特定化学的特性と関係なく，殆どの環境条件で安定的である。
【００３６】
また，着色剤化合物の殆どが明確なカラーを提供する物質を含むので，本実施形態の着色剤は従来のレーキまたは他の着色剤に比べて高いカラー彩度や鮮明度を示すことができる。
【００３７】
本実施形態の着色剤は肉眼で明確に観察可能なカラーを示す。実際現れるカラーは特定分野に適した適切な技術を利用して測定，評価されうる。このようなカラー測定技術の１つが，“Ｐｒｉｎｃｉｐｌｅｓ ｏｆ Ｃｏｌｏｒ Ｔｅｃｈｎｏｌｏｇｙ”，Ｂｉｌｌｍｅｙｅｒ＆Ｓａｌｔｚｍａｎ，第２版，１９８１に記載されているＣＩＥ＊Ａ＊Ｂカラーシステムである。上記システムは，赤色を表示する（＋）Ｘ軸，緑色を表示する（−）Ｘ軸，黄色を表示する（＋）Ｙ軸，青色を表示する（−）Ｙ軸及び０（黒色）から１００（白色）まで繋がっており，５０が出発点であるＺ軸のある３次元カラー空間に基づく。ＣＩＥ
ΔＥ＊（以下，ΔＥ＊）はカラー差，すなわちＬａｂ座標によって表示される２つのカラー間のユークリッド距離または直線距離の測定値として定義される。
【００３８】
ＣＩＥ Ｌａｂカラー空間は認知可能な一定カラー空間であろうために，上記空間のうち２カラーのユークリッド距離はカラー／差に対して認知可能な一定測定値でありうる。ΔＥ＊は，次のように計算される。
【００３９】
【数１】
2005105276.tif 000002
【００４０】
上記式中，Ｌ１，ａ１及びｂ１はカラー１のＬａｂ値であり，Ｌ２，ａ２及びｂ２はカラー２のＬａｂ値である。
【００４１】
上記測定システムにおいて，一般的に２つのサンプルが約１０ΔＥ＊ユニット以上のカラー差を有すると測定される場合，上記カラー差は肉眼で観察されうる程度である。
【００４２】
本実施形態において，個別的に測定された２以上の染料成分は約１０ΔＥ＊ユニット以上のカラー差を示す。したがって，これより得た着色剤錯物のカラーは，各染料成分の明確なカラーを混合したものである。特に，望ましい本実施形態の具体例において，２以上の染料成分は２０ΔＥ＊ユニット以上のカラー差を示す。したがって，上記具体例において，各成分間のカラー差の程度は観察（上記カラーをブレンドせずに平行に配置して観察した場合）を通じて識別可能な程度に相当明確であろう。しかし，錯化化合物のうち染料成分間の近接性によって得た着色剤の明確なカラーは２種のカラーのブレンドである。本実施形態の具体例は，相異なる溶解性または分散性を有する２つ以上の着色剤を単純にブレンドした場合に観察されうるカラー分離問題がほとんど発生しないか，またはまったく発生しないながらも，高度に正確なカラーマッチング及び安定性を提供する。
【００４３】
本実施形態の望ましい具体例で，イオン結合型の錯化着色剤化合物のうち，無色の対イオン成分は全体着色剤のうち比較的少量である。上記具体例では，望ましい着色剤の効果はそのまま有しながら，完全な全体最終組成物としてはより少量でより効果的な着色剤を提供できる。それは，大部分の着色剤が視覚的に観察される有効カラーに実際に寄与するためである。望ましい一具体例で，無色の対イオン成分は総着色剤化合物の約４０重量％未満である。望ましい他の具体例では，無色の対イオン成分は全体着色剤化合物の約２０重量％未満であってもよい。望ましいさらに他の具体例では，無色の対イオン成分は全体着色剤化合物の約１０重量％未満であってもよい。
【００４４】
本実施形態の望ましい具体例で，イオン結合型の錯化着色剤化合物には，上記着色剤化合物と共有結合しない金属が実質的に存在していない。このような着色剤組成物は，着色剤化合物から分離されて組成比不安定または電荷不均衡のような不安定性をもたらすか，または健康上の問題点を増加させうる金属，特に重金属を使用しないので，特に有利である。
【００４５】
望ましくは，イオン結合型の錯化着色剤化合物または組成物は１００ｐｐｍ未満の水溶解度を有する。その上，望ましくは，イオン結合型の錯化着色剤化合物または組成物は，ケトン類，アルコール類，エステル類，グリコールエーテル類及びエステル類，脂肪族炭化水素及び芳香族炭化水素などの多様なキャリア溶媒で１００ｐｐｍ未満の溶解度を有する。
【００４６】
本実施形態の一具体例において，着色剤は無色成分だけでなく，３つ以上の染料の組み合わせよりなる。このような場合において，イオン性染料は第１対イオン染料及び第２対イオン染料と錯化される。例えば，陽イオン性染料は，第１陰イオン性染料，第２陰イオン性染料及び陰イオン性無色成分と錯化されうる。望ましい具体例において，上記第１イオン性染料は，上記イオン性染料成分上に多数のイオン性作用基を含んで，単一イオン性染料成分は多数の対イオンと配位結合できる。望ましい具体例において，着色剤中のあらゆる染料はそれぞれに対して約２０ΔＥ＊ユニット以上のカラー差を示す。上記着色剤の明確なカラーは，全体着色剤組成物中の第１対イオン染料と第２対イオン染料との相対的な含量を変化させて調節されうる。着色剤組成物の明確なカラーは，無色の対イオンをより多く，またはより少なく合体させて調節されることが望ましい。望ましくは，無色の対イオンは有機対イオンである。特に，多数の染料対イオンを利用すれば，相異なる溶解性または分散性を有しうる２つ以上の着色剤を単純にブレンドすることによって観察されうるカラー分離問題がほとんど発生しないか，または全く発生しないながらも高度に正確なカラーマッチングが提供される。
【００４７】
特に望ましい具体例で，イオン結合型の錯化着色剤化合物は高分子成分を含まない。上記化合物のあらゆるイオン性部位は，単量体物質と反応する場合にのみさらに容易に完全に配位結合するので，特別な利点を有する。したがって，より巨大な化合物は，あらゆるイオン性部位の配位結合前の染料バインド過程中に先に不溶性になる傾向がありえる。特に，イオノマーは望ましい着色剤化合物が形成される前にあらかじめ凝集されうる。まだ錯化されていない部位が高分子成分に存在すれば，水分に対する不安定領域がさらに提供でき，このために特に上記着色剤が，例えば皮膚接触または周囲の湿度を通じて水分に露出される環境で最終的に使われる場合に問題をもたらしうる。上記着色剤から形成された画像は，水分に対する粘性または反応性を有しうる。また，非高分子着色剤化合物は，望ましいサイズ及び均一度で加工，取扱い及びミリングに容易であり，多様な樹脂または組成物への分散に容易である。また，高分子成分を含まない着色剤組成物は，バインダの所定の残余成分に悪影響を及ぼしうる付加ガラス転移温度Ｔｇを提供しない。望ましい具体例で，着色剤化合物は約５０００ダルトン未満の分子量を有する。望ましい他の具体例で，着色剤化合物は約３０００ダルトン未満の分子量を有する。
【００４８】
望ましくは，着色剤は所定の比率で錯化されたイオン性染料，染料対イオン及び無色の対イオン成分を有する単一化合物であって，望ましい明確なカラーを達成するために各化合物自体が望ましい成分比を有する。いくつかのイオン交換がインサイチュ方式で起こる。または，いくつかの製造工程では，化合物ペアまたはグループが形成されて，１つのペアのうち化合物は多数の染料対イオンを含み，上記ペアのうち他の化合物は多数の無色対イオンを含むことができ，上記ペアが望ましい明確なカラーを示すことが分かる。同様に，３つ以上の化合物グループも類似した方式で形成されて，望ましい明確なブラックカラーを示す。本実施形態において，このような化合物ペアまたは化合物グループの含量は，分子レベルで考慮されるものであり，本明細書に記載された着色剤化合物の範囲に属するように考慮される。
【００４９】
本実施形態のさらに他の具体例で，錯化された染料，染料対イオン及び無色の対イオンの所定の組み合わせは，上記染料成分が１つの化合物に錯化されるか否かに関係なく，あらゆる染料成分を１つの組成物で望ましい比率でイオン結合型の配位結合するように製造される。上記具体例で，あらゆるイオン性成分は組成物に含まれた各化合物が最終着色組成物の水及びキャリア液体に不溶性になるようにイオン結合型錯化されて，製造または使用条件下で化合物が分離されなくする。このような着色剤組成物は追加成分を含んで製造でき，本明細書に記載された化合物の用途と同じ方式で使われうる。
【００５０】
本実施形態に使われた陰イオン性染料は，本明細書に記載されたように陽イオン性対イオンと錯化されうる陰電荷を有する染料でありうる。本実施形態の一態様で，陰イオン性染料は多数の陽イオン性対イオンと錯化されうるように立体的に配置された多数の陰電荷性作用基を含む。望ましい陰イオン性染料は，１つ以上のスルホネート基，カルボキシル基及び／またはヒドロキシル塩基を含有する染料である。このような陰イオン性染料の例としては，フタロシアニン，アゾピラゾリン及びアントラキノン染料及びその混合物を含むが，これに限定されない。上記陰イオン性染料の他の例としては，Ａｃｉｄ  Ａｌｉｚａｒｉｎ  Ｖｉｏｌｅｔ，Ａｃｉｄ  Ｙｅｌｌｏｗ  ４０，Ａｃｉｄ  Ｒｅｄ  ４，Ａｃｉｄ  Ｂｌｕｅ  ２５，Ａｃｉｄ  Ｖｉｌｏｅｔ  ７，Ｐｈｌｏｘｉｎｅ  Ｂ，銅フタロシアニンテトラスルホン酸テトラナトリウム塩，Ｑｕｉｎｏｌｉｎｅ  ｙｅｌｌｏｗ，Ａｃｉｄ  ｙｅｌｌｏｗ  １７，Ｔａｒｔｒａｚｉｎｅ，Ａｌｉｚａｒｉｎ  Ｙｅｌｌｏｗ  ＧＧ，Ｒｅａｃｔｉｖｅ  Ｂｌａｃｋ  ５，Ｅｏｓｉｎ  Ｙ，Ｅｒｉｏｇｌａｕｃｉｎｅ，Ａｃｉｄ  Ｒｅｄ  ９１，Ａｃｉｄ  Ｒｅｄ  ５１及びＦｏｏｄ  Ｂｌａｃｋ  １を含む。
【００５１】
本実施形態に使用された陽イオン性染料は，本明細書に記載されたような陰イオン性対イオンと錯化されうる正電荷を有する染料であってもよい。本実施形態の一態様で，陽イオン性染料は多数の陰イオン性対イオンと錯化されうるように立体的に配置された多数の正電荷作用基を含む。本実施形態に使用されるのに望ましい陽イオン性染料は，１つ以上の４級アンモニウム基，スルホニウム基，ホスホニウム基及びオキソニウム基を含む。上記陽イオン性染料の例としては，Ｔｅｔｒｚｏｌｉｕｍ  Ｖｉｏｌｅｔ，Ｒｈｏｄａｍｉｅ  Ｂ，Ｉｎｄｏｉｎｅ  Ｂｌｕｅ，Ａｕｒａｍｉｎｅ  ０及びその混合物を含むが，これに限定されない。上記陽イオン性染料の他の例としては，Ｃｏｌｏｒ  Ｉｎｄｅｘ  Ｂａｓｉｃ  Ｒｅｄ  １２，Ｃｏｌｏｒ  Ｉｎｄｅｘ  Ｂａｓｉｃ  Ｒｅｄ  １４，Ｃｏｌｏｒ  Ｉｎｄｅｘ  Ｂａｓｉｃ  Ｒｅｄ  ２８及びＣｏｌｏｒ  Ｉｎｄｅｘ  Ｂａｓｉｃ  Ｖｉｌｏｅｔ  １０，Ｂａｓｉｃ  Ｙｅｌｌｏｗ  １，Ａｌｃｉａｎ  Ｂｌｕｅ−テトラキス（メチルピリジウム）クロライド，Ｂａｓｉｃ  Ｂｌｕｅ  ４１及びＢａｓｉｃ  Ｒｅｄ  １よりなる群から選択される。
【００５２】
無色の対イオン成分は本明細書に記載されたような染料イオンと錯化されうる無色の対イオンでありうる。望ましくは，無色の対イオンは有機対イオンである。望ましい具体例で，無色の対イオンは染料と配位結合できる多数の作用基を含み，多数の染料イオンが１つの無色対イオンと錯化されうる。錯化された染料が陰イオンである場合，無色の対イオンは，望ましくはアルキル，アリール及びアルキル／アリール化合物の４級アンモニウム塩，スルホニウム塩，ホスホニウム塩，オキソニウム塩及びこれらの組み合わせから選択された陽イオン化合物である。錯化された染料が陽イオンである場合，無色の対イオンは，望ましくはアルキル，アリール及びアルキル／アリール化合物のスルホネート，カルボキシレート，ヒドロキシル塩及びこれらの組み合わせから選択された陰イオン性化合物である。
【００５３】
本実施形態の特に望ましい具体例において，イオン性染料は最終着色剤化合物が黄色，マゼンタ，シアンまたはブラックの明確なカラーを示すように選択される。上記カラーは伝統的な印刷方法で使われた４種のカラーである。上記４種のカラーの公知された組み合わせまたはブレンドを使用することによって，所望のカラーをほとんど得ることができる。本実施形態は，上記４種のカラーそれぞれの安定して再現可能な着色剤を供給するためのシステムを提供し，これは当業界に極めて有利である。
【００５４】
本実施形態の望ましい具体例において，イオン性染料及び無色の着色剤成分は錯化される前には水溶性である。上記成分が結合される場合，望ましくは水不溶性沈殿物が形成される。選択的に反応溶液量を取扱いの容易なレベルに減らすために，反応組成物のうち反応物の濃度が高い場合，水混和性溶媒を添加して上記１つ以上のイオン性成分の溶解度を増加させうる。沈殿後，陽イオン性反応物と陰イオン性反応物と物理的に結合された対イオンが溶液中に存在する。沈殿物を濾過して分離し，望ましくは水でさらに洗浄して残留可溶性対イオンを除去する。このような洗浄過程は選択的に数回繰り返されうる。以後，沈殿物を乾燥させた後，着色剤として使用できる。望ましくは，本実施形態の着色剤は水不溶性である。上記水不溶性によって着色剤の取扱いが容易になるだけでなく，着色剤の使用または活用時に，多様な物の表面に対する染色量や湿気反応性が減少するという利点が提供される。
【００５５】
本実施形態の着色剤はカラーの提供が必要な任意の分野に使われうる。上記用途の例としては，多様な物の表面に画像やメッセージを転写する物質の一部としての用途，及び道具，おもちゃ，織物及びプラスチックシートのような物品，及び壁面，底及び天井のような構造物表面にカラーを提供するための着色剤としての用途を含む。
【００５６】
望ましい分野において，着色剤は，表面にカラーを付与するのに使われるコーティング可能な着色剤組成物，例えばコーティング剤，インク，トナーまたはペイント組成物である液体型またはペースト型の展色剤として提供される。上記着色剤組成物は当業界で当業者が明確に分かるように革，織物，紙，高分子の表面，金属表面などの適当な表面に塗布されうる。上記着色剤は，望ましくは均質組成物のうちバインダと共に提供されるか，懸濁物として提供される。望ましくは，上記着色剤はバインダと物理的に密接に結合して，例えばトナー粒子のような着色剤／バインダ粒子形態で提供される。特に，望ましい具体例で，本実施形態の着色剤はラテックスペイント組成物に提供される。従来のラテックスペイントは，顔料，バインダ，水を含む液体キャリア及び添加剤（例えば，界面活性剤）を含む。一般的にペイント組成物は当業界に公知であり，本明細書の開示内容を参照して本実施形態の着色剤を含むように当業者によって容易に製造できる。望ましくは，ラテックスペイント組成物のバインダは当業界に公知であるように，スチレン−ブタジエン重合体，ビニルアクリル重合体またはアクリル重合体またはこれらの組み合わせを含む。
【００５７】
本実施形態の着色剤は，特に複写及び印刷産業分野で利用されるトナーへの使用に適している。特に，本実施形態の着色剤は電子記録印刷方法（電子写真画像形成方法及び静電気的画像形成方法を含む）に使われるウェットトナーまたはドライトナーに含まれて有用に利用される。上記着色剤は望ましいトナー化学成分と相溶性があって，優秀な電荷伝達特性を示すトナーを形成できる。電子写真画像形成方法は，一表面からその次の表面に不連続トナー粒子で形成された画像を移動させる静電気的転写を利用する。このようなトナー粒子の帯電は上記転写過程で極めて重要なものである。重金属イオンでない他のイオン性染料と錯化されたイオン性染料は，相異なる帯電及び転写特性を示すので，トナー転写が改善されうる。
【００５８】
適したトナー樹脂がトナー組成物の一部として使われる場合，これは本実施形態の着色剤と統合されるように選択されうる。一般的な樹脂の例示のための例としては，ポリアミド類，エポキシ類，ポリウレタン類，ビニル樹脂類，ポリカーボネート類，ポリエステル類及びこれらの混合物などを含む。適したビニル樹脂は，単独重合体または２以上のビニル単量体の共重合体を含んで選択されうる。このようなビニル単量体ユニットの通常的な例としては，スチレンと，ビニルナフタレンと，エチレン，プロピレン，ブチレン，イソブチレンなどのエチレン系の不飽和モノオレフィン類と，ビニルアセテート，ビニルプロピオネート，ビニルベンゾエート，ビニルブチレートなどのビニルエステル類と，ブタジエン，イソプレンなどのエチレン系の不飽和ジオレフィンと，メチルアクリレート，エチルアクリレート，ｎ−ブチルアクリレート，イソブチルアクリレート，ドデシルアクリレート，ｎ−オクチルアクリレート，フェニルアクリレート，メチルメタクリレート，エチルメタクリレート，ブチルメタクリレートなどの不飽和モノカルボン酸のエステル類と，アクリロニトリルと，メタクリロレートと，ビニルメチルエーテル，ビニルイソブチルエーテル，ビニルエチルエーテルなどのビニルエーテル類と，ビニルメチルケトン，ビニルへキシルケトン，メチルイソプロフェニルケトンなどのビニルケトン類と，これらの組み合わせを含む。また，１つ以上の他の樹脂，望ましくは他のビニル樹脂とブレンドされた多様なビニル樹脂がトナー樹脂として選択でき，これらは優秀な摩擦帯電性及び一定の物理的耐摩耗性を有する。また，改質されたフェノールホルムアルデヒド樹脂類，オイル改質されたエポキシ樹脂，ポリウレタン樹脂類，セルロース樹脂類，ポリエーテル樹脂類，ポリエステル樹脂類及びその混合物を含む非ビニル型の熱可塑性樹脂も使われうる。
【００５９】
望ましくは，トナーは液体キャリアに分散されてオルガノゾルを形成する両親媒性グラフト共重合体を含んだ後，他の成分と混合されてウェットトナー組成物を形成する。一般的に，オルガノゾルは重合可能な化合物（例えば，単量体）を非水性分散重合させることによって合成して低誘電率を有する炭化水素溶媒（キャリア液体）に分散された共重合体バインダ粒子を形成する。上記分散された共重合体粒子は，キャリア液体によって溶媒化された立体安定化剤（例えば，グラフト安定化剤）が重合反応で形成される時に分散されたコア粒子と化学的に結合するので，凝集に対しては立体的に安定している。このような立体安定化メカニズムの詳細なる事項は，Ｎａｐｐｅｒ，Ｄ．Ｈ．，“Ｐｏｌｙｍｅｒｉｃ  Ｓｔａｂｉｌｉｚａｔｉｏｎ  ｏｆ  Ｃｏｌｌｏｉｄａｌ  Ｄｉｓｐｅｒｓｉｏｎｓ，”Ａｃａｄｅｍｉｃ  Ｐｒｅｓｓ，Ｎｅｗ  Ｙｏｒｋ，Ｎ．Ｙ．，１９８３に記載されている。自己安定オルガノゾルの合成方法は，“Ｄｉｓｐｅｒｓｉｏｎ  Ｐｏｌｙｍｅｒｉｚａｔｉｏｎ  ｉｎ  Ｏｒｇａｎｉｃ  Ｍｅｄｉａ，”Ｋ．Ｅ．Ｊ  Ｂａｒｒｅｔｔ，ｅｄ．，Ｊｏｈｎ  Ｗｉｌｅｙ：Ｎｅｗ  Ｙｏｒｋ，Ｎ．Ｙ．，１９７５に記載されている。
【００６０】
ウェットトナー組成物は，電子写真画像形成工程で迅速な自己定着を行う比較的低いガラス転移温度（Ｔｇ＜３０℃）を有するフィルム形成ウェットトナーを製造する際に使用するために，極性及び誘電率の低いキャリア溶媒で分散重合を利用して製造されてきた。例えば，米国特許第５,８８６,０６７号公報及び第６,１０３,７８１号公報を参照する。また，オルガノゾルは静電気的画像形成スタイラスプリンタに使われる中間ガラス転移温度（３０℃〜５５℃）のウェット静電気的画像形成トナーを製造するのに使用するために製造されてきた。例えば，米国特許第６,２５５,３６３
Ｂ１号公報を参照する。オルガノゾルを製造する代表的な非水性分散重合方法は，炭化水素媒質に可溶性である１つ以上のエチレン系不飽和単量体をあらかじめ製造された重合可能な重合体（例えば，グラフト安定化剤または“活性”重合体）溶液の存在下で重合させる場合に行われるフリーラジカル重合方法である。例えば，米国特許第６,２５５,３６３号公報を参照する。
【００６１】
オルガノゾルが形成された場合，１つ以上の添加剤が必要であれば含まれうる。例えば，１つ以上の視覚改善用の添加剤（ｖｉｓｕａｌ  ｅｎｈａｎｃｅｍｅｎｔ  ａｄｄｉｔｉｖｅｓ，印刷結果の外見を向上させるために添加される添加剤）及び／または帯電調節剤が含まれうる。均質化，微細流動化，ボールミリング，摩擦ミリング，高エネルギービード（サンド）ミリング，バスケットミリングまたは分散物のうち粒径を縮める当業界に公知された他の技術のような１つ以上の混合工程を上記組成物に対して行う。混合工程は凝集された視覚改善添加剤の粒子が存在する場合，ほとんどの粒子が０.０５〜５ミクロンの直径を有するように粉砕する役割をし，分散された共重合体バインダを視覚改善用の添加剤の表面に物理的に結合させうる切片に部分切断できる。
【００６２】
本実施形態の具体例によれば，共重合体から由来した分散された共重合体または切片は，以後，視覚改善添加剤の表面に，例えば吸着または接着によって視覚改善添加剤と物理的に結合して，トナー粒子を形成する。これより生成された結果物は立体的に安定した非水性トナー粒子分散物であって，体積平均粒子の粒径（レーザー回折器で測定）は約０.０５〜約５０.０ミクロン，さらに望ましくは，約３〜約１０ミクロン，最も望ましくは，約１.５〜５ミクロンである。いくつかの具体例で，１つ以上の帯電調節剤が必要である場合，混合前後に添加されうる。
【００６３】
ウェットトナー組成物のいくつかの特性は，高品質画像の提供に重要である。トナー粒径及び帯電特性は，特に優秀な解像度を有する高品質画像の形成に重要である。また，トナー粒子の迅速な自己定着は，例えば印刷欠陥（例えば，汚れや引きずり）及び高速印刷の不完全な転写を防止するために必要な，いくつかのウェット電子写真形成印刷工程の主要条件である。例えば，低ガラス転移温度Ｔｇを示すオルガノゾルトナー組成物において，印刷工程時に形成されたフィルムは転写環境下では粘性及び弱い接着力を有しうる。これは画像スプリッティングまたは望ましくない残基を感光体または中間画像受容体の表面に残しうる。ウェットトナー組成物の製造時のさらに他の主要考慮事項は，最終受容体の画像耐久性及び記録保存性と関連がある。耐消去性，例えば摩擦，特に不要な鉛筆線またはペン線を除去する際に一般的に使われる天然または合成ゴムの消しゴムによる摩擦によるトーン画像の除去または損傷についての耐性は，ウェットトナー粒子の望ましい特性である。
【００６４】
また，本実施形態の着色剤はマトリックスに分散されてマトリックスで製造される物品にカラーを提供できる。例えば，着色剤は高分子樹脂組成物に含まれた後，当業界に公知の加工技術により織物，シート材料または固体形態に加工される過程を経る。例えば，織物はゲルスピニング，電子スピニング及び溶融スピニング技術によって製造されうる。シート材料は，圧出及び／またはカレンダリング工程などによって形成でき，固体形態は，射出成形，回転成形などによって形成されうる。これより形成された物品は，本実施形態の着色剤の存在によって明確なカラーを示す。同様に，ワックスキャンドルなどの製造に使われるワックスのような他の類型のマトリックス材料で製造された物品にもカラーを提供することができる。
【００６５】
本実施形態の着色剤を最終マトリックス組成物に容易に混合させるために，望ましくは本実施形態の着色剤はカラー既濃縮組成物として提供される。カラー既濃縮組成物は，最終的に着色剤を含むマトリックス材料と相溶性のある少量の物質に着色剤を含むものである。上記カラー既濃縮組成物は，望ましくはドライ粉末型，液体，ペレット化された濃縮物として提供されるか，またはミニビードとして提供される。例えば，最終マトリックスがポリエステルで形成された場合，既濃縮物は，望ましくはポリエステル材料を含む。同様に，マトリックスがワックスで形成される場合，既濃縮物は，望ましくはワックス材料を含む。望ましくは，着色剤が既濃縮物として提供される場合，着色剤は約２０〜約６０重量％の比率で提供される。
【００６６】
また，着色剤は着色された物質を提供するために織物などの組み合わせられたマトリックスに分散されうる。このようなマトリックスの例としては，セルロース繊維及び繊維を固定させるバインダ組織を含む紙である。本実施形態の着色剤は選択的にマトリックスに分散されて，明確なカラーを有する物品を提供できる。
【００６７】
本明細書で引用したあらゆる特許，特許文献及び公開文献は引用されて本明細書にそれぞれ統合されている。特別な言及がない限り，あらゆる部及び％は重量部及び重量％であり，あらゆる分子量は重量平均分子量を意味する。上記詳細なる説明は本実施形態を明確にして理解を助けるために提供されたものである。したがって，これを理解するのに不要ないかなる制限も存在しないことが分かる。本実施形態は上記詳細なる説明に制限されるものではなく，当業者によって特許請求の範囲に限定された範囲内で変形できることが明白である。
【産業上の利用可能性】
【００６８】
本発明の着色剤及び着色剤組成物はインク，トナー，ペイントなどのように発色と関連した分野で有用に使用されうる。